(57)【特許請求の範囲】
【請求項１】
独立して駆動する左右のクローラ式走行装置２９・２９を有し、旋回側のクローラ式走行装置２９・２９の駆動を、操向レバー１５を介してサイドクラッチアクチュエーター７４Ｌ・７４Ｒにより停止または減速させることで旋回する操向機構を有し、かつ前後に反転回動可能な座席１２を有する走行車輌において、前記操向レバー１５の握り部は、座席１２の前後反転の回動中心である垂直中心線ＳＬに、側面視で重合するよう配設し、該座席１２を前後いずれに向けるかにかかわらず、一本の操向レバー１５の左右への回動操作にて左右への操向機構を作動させ、前記操向レバー１５の前後への回動操作の前後傾倒角度に応じて、サイドクラッチアクチュエーター７４Ｌ・７４Ｒからのリリーフ圧を制御する可変リリーフバルブ７５の開弁度が調整され、旋回側と反旋回側との回転速度差に基づき旋回半径が調整される構成とし、該操向レバー１５の頭頂部に、押釦時のみＯＮする芯地旋回設定スイッチ１６を設け、更に、該操向レバー１５をストロークエンドまで傾倒した位置でＯＮする芯地旋回スイッチ４５を設け、該芯地旋回設定スイッチ１６と芯地旋回スイッチ４５の両スイッチがＯＮした時のみ芯地旋回を可能とする構成としたことを特徴とする走行車輌の操向操作機構。
【発明の詳細な説明】
【０００１】
【発明の属する技術分野】
本発明は、左右独立して駆動する走行装置、例えば履帯式走行装置を有する走行車輌であって、例えば運搬車等のように、後進時には作業者が後方向きに作業ができるように、座席を前後に反転可能とした構成の走行車輌の中の、操向操作機構に関する。
【０００２】
【従来の技術】
従来、履帯式走行装置上に、前部を動力部及び運転部とし、後部を荷箱搭載部とする本体部を配設し、内燃機関よりＨＳＴ、減速機を介して履帯式走行装置の駆動軸に動力伝達してなる運搬車は公知となっている。
この公知例を、図３３乃至図３５より説明する。
図３３は従来の運搬車の側面図、図３４は同じく平面図、図３５は同じく正面図である。
まず、左右のクローラ（履帯式）走行装置８５Ｌ・８５Ｒ上に配設される本体部は、本体フレーム８６より形成され、該本体フレーム８６の前部は、動力部を支持するとともに、その上部においては、前端にヘッドランプ８８やフロントグリル８９等を具備するフロントコラム８７を搭載している。
また、その後方にエンジンルームハウジング９０を搭載し、更にその後方に、各種コントロール装置を具備するコントロールパネル９１を配している。また、コントロールパネル９１の側方（本実施例では左側）に座席９２を配している。このように、動力部の上方には運転部が形成されており、その後方に荷箱９５が上下回動可能に搭載されている。
【０００３】
座席９２は、前後反転して取付可能としており、その前後位置にて、左右平行に操向レバー９３Ｌ・９３Ｒ、９４Ｌ・９４Ｒを配設している。即ち、全部で４本の操向レバーを設けており、座席９２を前向きにセットした場合には、操向レバー９３Ｌ・９３Ｒの操作にて、座席９２を後向きにした場合には、操向レバー９４Ｌ・９４Ｒの操作にて、それぞれ、左右のクローラ走行装置８５Ｌ・８５Ｒのクラッチ入り切り操作を行い、旋回するのである。
【０００４】
更に、左右のクローラ走行装置の駆動方向を逆向きにして、芯地旋回（スピンターン）できるようにしたものも公知となっている。この場合、コントローラパネル９１に芯地旋回設定スイッチが配設されていて、これをＯＮしていれば、操向レバー９３Ｌ・９３Ｒまたは９４Ｌ・９４Ｒのいずれかをストロークエンドまで回動操作した時に、芯地旋回するようになっている。
【０００５】
【発明が解決しようとする課題】
従来の構造において、操向レバーは合計４本も設けなければならない。操向操作において、二本の操向レバーを握って操作するのは煩雑であり、できれば一本の操向レバーの傾倒操作とし、その傾倒の向きによって旋回方向が決まるというように設定したい。
しかし、この場合に問題となるのは、座席を前後反転させる場合に、一方の向きにした時には、操作しやすい位置にあったとしても、座席をその逆向きにすれば、操作しにくいという事態がある。従って、どうしても前後に一本ずつ操向レバーを設けるというようにしなければならなくなる。
【０００６】
更に、芯地旋回設定スイッチがコントロールパネルに設けられており、これがＯＮのまま忘れて、操向レバーをストロークエンドまで操作し、予期しないのに芯地旋回するという場合も考えられる。
【０００７】
【課題を解決するための手段】
本発明は、以上のような課題を解決するため、次のような手段を用いる。
独立して駆動する左右のクローラ式走行装置２９・２９を有し、旋回側のクローラ式走行装置２９・２９の駆動を、操向レバー１５を介してサイドクラッチアクチュエーター７４Ｌ・７４Ｒにより停止または減速させることで旋回する操向機構を有し、かつ前後に反転回動可能な座席１２を有する走行車輌において、前記操向レバー１５の握り部は、座席１２の前後反転の回動中心である垂直中心線ＳＬに、側面視で重合するよう配設し、該座席１２を前後いずれに向けるかにかかわらず、一本の操向レバー１５の左右への回動操作にて左右への操向機構を作動させ、前記操向レバー１５の前後への回動操作の前後傾倒角度に応じて、サイドクラッチアクチュエーター７４Ｌ・７４Ｒからのリリーフ圧を制御する可変リリーフバルブ７５の開弁度が調整され、旋回側と反旋回側との回転速度差に基づき旋回半径が調整される構成とし、該操向レバー１５の頭頂部に、押釦時のみＯＮする芯地旋回設定スイッチ１６を設け、更に、該操向レバー１５をストロークエンドまで傾倒した位置でＯＮする芯地旋回スイッチ４５を設け、該芯地旋回設定スイッチ１６と芯地旋回スイッチ４５の両スイッチがＯＮした時のみ芯地旋回を可能とする構成としたものである。
【００１０】
【発明の実施の形態】
本発明の実施の形態について添付の図面より説明する。
図１は本発明に係る運搬車の左側面図、図２は同じく部分右側面図、図３は同じく平面図、図４は同じく正面図、図５は本体フレーム１及び前部フレーム２よりなる運搬車のフレーム構造を示す平面図、図６は同じく部分左側面図、図７は本体フレーム１の左側面図、図８は同じく右側面図、図９は同じく正面図、図１０は同じく後面図、図１１はエンジンの給排気管構造を示すエンジンカバー６部分の正面図、図１２は同じく内部左側面図、図１３はフロントグリル３０の正面図、図１４は同じく側面断面図、図１５は給気管３１の側面一部断面図、図１６は運搬車の動力部配置構造を示す側面図、図１７は同じく平面図、図１８は同じく正面図、図１９は減速機Ｇの内部平面図、図２０は運搬車のコントロールパネル７に配設するレバー類のリンク機構を示す側面図、図２１は同じく正面図、図２２は操向レバー１５基端部の操向スイッチ４０の配設構造を示す部分正面図、図２３は芯地旋回用バルブソレノイド７７ａの制御用電気回路図、図２４は運搬車の運転部におけるアクセルペダル２０、ブレーキペダル２１、及びパーキングブレーキレバー１９の配設構造を示す左側面図、図２５は同じく平面図、図２６はアクセルペダル２０、ブレーキペダル２１、及びパーキングブレーキレバー１９のリンク機構を示す左側面図、図２７は同じく平面図、図２８は同じく前半部分の平面図、図２９は同じく後半部分の平面図、図３０はアクセルペダル２０のリンク機構を示す左側面図、図３１はブレーキペダル２１及びパーキングブレーキレバー１９のリンク機構を示す左側面図、図３２は運搬車の油圧系統図である。
【００１１】
まず、本発明の運搬車のフレーム構成を図１及び図１０より説明する。
本体フレーム１は、前端に左右方向の前板フレーム１ａを配し、該前板フレーム１ａより、前後方向の平行な左側板フレーム１ｂ・右側板フレーム１ｃを配し、また、両側板フレーム１ｂ・１ｃの更に各外側には、サイドフレーム１ｄ・１ｅを配している。
この前板フレーム１ａ、両サイドフレーム１ｄ・１ｅにて囲まれる部分を動力部としており、動力機関の関連部品が配設される。また、両サイドフレーム１ｄ・１ｅより後方にクローラフレーム１ｆ・１ｆを延設しており、両クローラフレーム１ｆ・１ｆの途中部間に左右方向の連結フレーム１ｇを、後端間に後端フレーム１ｈを横設している。
【００１２】
動力部における両側板フレーム１ｂ・１ｃ間には、後記の如く、エンジンＥや減速機Ｇ、また、ＨＳＴ等の油圧系統部材が配設される。クローラフレーム１ｆ・１ｆは、両側板フレーム１ｂ・１ｃよりも外側に位置しており、後記の如く、クローラフレーム１ｆに支持される車輪やスプロケットにクローラ２９を巻装した場合に、クローラ２９にて巻き上げられる土砂は、両側板フレーム１ｂ・１ｃにて遮断されて、両側板フレーム１ｂ・１ｃ間のエンジンＥ、減速機Ｇ、油圧系統部材等の配設部分には侵入しないのである。
【００１３】
右の側板フレーム１ｃの内側には、エンジン支持フレーム１ｉが形成されている。即ち、該エンジン支持フレーム１ｉは、機関部Ａにおいて右寄りに位置しており、更に、前板フレーム１ａとの間に距離をおいて後方寄りに位置している。
また、両側板フレーム１ｂ・１ｃは、サイドフレーム１ｃ・１ｄの後端より後方に延出して、その後端を、該連結フレーム１ｇに立設された荷箱受け支柱１ｊ・１ｊに連結している。後端フレーム１ｈ上には、荷箱昇降シリンダー２３を枢支するためのシリンダーブラケット１ｋと、荷箱２２を枢支するための荷箱ブラケット１ｍ・１ｍを立設している。
【００１４】
連結フレーム１ｇより後端フレーム１ｈにかけての上方部分は、荷箱搭載部となっている。即ち、荷箱ブラケット１ｍ・１ｍに荷箱２２の後端を枢支し、シリンダーブラケット１ｋには、荷箱昇降シリンダー２３の基端を枢支し、該荷箱昇降シリンダー２３のピストンロッド先端を、荷箱２２の底部の略中央部に枢結する。荷箱２２は、通常の下降位置においては、前端部分が該荷箱受け支柱１ｊ・１ｊ上に載置された状態となっており、荷箱昇降シリンダー２３が伸長駆動すると上方に回動するのである。
【００１５】
本体フレーム１の前端には、更に図５や図６のように、前部フレーム２を固設している。前部フレーム２内には、左右にヘッドランプ支持用ブラケット２ａ・２ａが配設されており、この中に、ヘッドランプ３・３を嵌入配設する。
また、該前部フレーム２の前部には、バンパ４を付設することができ、その上部には、フロントコラム５を搭載するものとなっている。フロントコラム５には、乗降時等の補助としての手すり５ａが立設されている。
このように、本体フレーム１とは別に前部フレーム２を設け、バンパ４、フロントコラム５、手すり５ａのみ前部フレーム２に付設している構成としている。もし前部フレーム２がなく、従来と同様に本体フレーム１自体が前端部まで延出していると、衝突事故等で車体前部に衝撃を受けた時に、本体フレーム１自体が破損し、これを修理・交換するのは非常にコストも手間もかかる。
本構成であると、前部フレーム２のみの破損ですみ、本体フレーム１自体は無傷とすることができる。従って、前部フレーム２のみを修理・交換すればよく、コストや手間は大幅に低減できる。
【００１６】
このようなフレーム構成を基に、本発明に係る運搬車の動力部構造について、図１１乃至図１９より説明する。
本体フレーム１の両側板フレーム１ｂ・１ｃ間において、前記のエンジン支持フレーム１ｉ（右側板フレーム１ｃ寄り）は、図１７や図１８の如く、エンジンＥの下端に垂設されるオイルパンＥａを囲い、エンジンＥを下方より支持するものとなっている。該エンジンＥの後端は、出力側であって、フライホイルハウジングＥｂを介して油圧ポンプＰを連接している。該油圧ポンプＰは、動力部の後端よりも後方に延出して、荷箱搭載部に配されている。この上方には荷箱２２が搭載されるものである。
【００１７】
該エンジンＥの給排気構造について、図１１乃至図１６より説明する。
エンジンＥの上方には、図１２のように、エアクリーナーＡＣを配設しており、該エアクリーナーＡＣを通過した給気が、給気ダクト３２を介してエンジンＥのシリンダーヘッド内に導入される。図１１及び図１２の如く、該エアクリーナーＡＣから、図１５図示の外気導入用の給気管３１を前方に延設し、その外端３１ａを、エンジンカバー６前面の上部に配置して、外部に向けている。
その外端３１ａは漏斗状に外側に広げられていて、給気チャンバー等を用いずに、給気管３１に導入される給気音を低減できる。また、給気管３１内への水の浸入を防ぐことができ、エンジントラブルを回避できる。
【００１８】
図１１及び図１２の如く、エンジンカバー６前面において、該給気管３１の外端３１ａの下方には、図１３及び図１４図示のフロントグリル３０を配設している。該フロントグリル３０は、エンジンＥの前方に配設するラジエーターＲに対峙させていて、熱交換用の外気をラジエーターＲに導入するものであるが、その横板３０ａの形状を、図１４等の如く、側面視波形状にしている。これにより、フロントグリル３０における外気通過時の音を低減でき、また、外気とともに侵入しようとする水を滞留させ、内部への侵入量を低減させる。
【００１９】
排気構造に関しては、図１１及び図１２の如く、エンジンＥのシリンダーヘッドの左側面より下方に排気管３３を延設し、該排気管３３は、曲折して、後方水平に延設され、図１６のように、本体フレーム１の連結フレーム１ｇ及び後端フレーム１ｈ上に前後方向に（左側端寄り位置にて）架設された排気管保護パイプ３４内を通過して、該後端フレーム１ｈよりも後方に配設した排気マフラー３５に連結している。排気マフラー３５からは後方に、外部に排気を放出する排気口管３６を延設している。この排気口管３６は下方に曲折した形状としてもよい。
【００２０】
従来、排気マフラーは、荷箱搭載部の前後途中部に配設されており、排気口管も、この位置の排気マフラーより延設されていて、その外端開口部は、荷箱搭載部の下方に位置していた。
即ち、下降（収納）位置にした時の荷箱の下方にて排気を放出していたのであり、これでは、下降した状態の荷箱の底面は勿論、ダンプ時（上昇時）の荷箱にも排気がかかり汚れがひどくなる。
しかし、本実施例における図１６のように、排気マフラー３５を後端フレーム１ｈよりも後方に配設すれば、機体の後方に位置しており、排気口管３６も、機体後部より後方に延設された状態で、荷箱２２後端よりも後方に位置しており、このように荷箱２２を汚すことはなくなる。
【００２１】
再び動力部内の構造に話を戻す。
図１６乃至図１８の如く、該エンジンＥの左側方で、左側板フレーム１ｂ寄りの部分には、前後方向に長く、略水平に減速機Ｇを配設している。該減速機Ｇの前端には、ＨＳＴモーターＭを左右方向に取り付けている。
前記の如く、エンジン支持フレーム１ｉは後方寄りになっていて、これにて支持するエンジンＥの前端と前板フレーム１ａとの間には一定の空間を有している。この空間部分に該ＨＳＴモーターＭが配設されているのである。
この位置は、エンジンＥの前方に配設されるラジエータＲの前方に当たるので、ＨＳＴモーターＭに配管する油圧管を含め、該ラジエータＲに対峙することで、作動油の冷却効果を得ることができる。
【００２２】
また、該エンジンＥの側方で、左側板フレーム１ｂ寄りの部分には、前後方向に長く、略水平に減速機Ｇを配設している。該減速機Ｇの前端には、ＨＳＴモーターＭを左右方向に取り付けている。前記の如く、エンジン支持フレーム１ｉは後方寄りになっていて、これにて支持するエンジンＥの前端と前板フレーム１ａとの間には一定の空間を有している。この空間部分に該ＨＳＴモーターＭが配設されているのである。
この位置は、エンジン前部に配設されるラジエータＲの前方位置に当たるので、ＨＳＴモーターＭに配管する油圧管を含め、該ラジエータＲに対峙することで、作動油の冷却効果を得ることができる。
【００２３】
減速機Ｇの内部構成について、図１９より説明する。
ＨＳＴモーターＭは、ＨＳＴポンプＰより圧油供給されて、そのモーター軸を減速機Ｇ内の入力軸６０として入軸しており、該入力軸６０の左端寄り位置にはサービスブレーキ６１が環設されている。該サービスブレーキ６１のサービスブレーキアーム６２が減速機Ｇの左側に突設されており、該サービスブレーキアーム６２は、後記ブレーキペダル２１またはパーキングブレーキレバー１９の操作にて回動し、サービスブレーキ６１を制動状態にするものである。
【００２４】
その後方には、カウンター軸６３が軸支されていて、入力軸６０とギア噛合しており、該カウンター軸６３の後方には、サイドクラッチ軸６４が軸支されている。サイドクラッチ軸６４付設の伝動ギア６４ａは、カウンター軸６３付設のカウンターギア６３ａにギア噛合するとともに、該サイドクラッチ軸６４上に摺動可能に外嵌されたサイドクラッチギア６５Ｌ・６５Ｒと嵌合可能となっている。サイドクラッチギア６５Ｌ・６５Ｒは、減速機Ｇの上部に枢支されたサイドクラッチアーム６７Ｌ・６７Ｒの回動にて摺動する構成となっていて、この摺動により、伝動ギア６４ａに係合・離脱する。
また、左右各サイドクラッチギア６５Ｌ・６５Ｒの外側には、サイドブレーキ６６Ｌ・６６Ｒが各々設けられており、サイドクラッチギア６５（６５Ｌ・６５Ｒ）が伝動ギア６４ａと離脱して外側に一定以上摺動すると、サイドブレーキ６６（６６Ｌ・６６Ｒ）が圧接されて、サイドクラッチギア６５が制動される。
【００２５】
減速機Ｇの上方には、ステアリングバルブブラケット７２が本体フレーム１の前板フレーム１ａに固設されていて（図５・図６図示）、ステアリングバルブケース７３（図１６図示）が搭載されている。該ステアリングバルブケース７３には、左右二個の油圧にて伸縮するサイドクラッチアクチュエーター７４Ｌ・７４Ｒ（図１６図示）を後方に突設して、各サイドクラッチアーム６７Ｌ・６７Ｒに枢結している。サイドクラッチアーム６７（６７Ｌ・６７Ｒ）は、サイドクラッチアクチュエーター７４（７４Ｌ・７４Ｒ）の伸縮駆動にて回動するものである。
例えば前方直進から右旋回する時には、左側のサイドクラッチアクチュエーター７４Ｌを作動して、左サイドクラッチアーム６７Ｌを制動側に回動し、左サイドクラッチギア６５Ｌを離脱させ、更には左サイドブレーキ６６Ｌを制動状態にするのである。
【００２６】
なお、図３２に図示する如く、ステアリングバルブケース７３には、サイドクラッチアクチュエーター７４からのリリーフ圧を制御する可変リリーフバルブ７５を内設しており、また該サイドクラッチアクチュエーター７４に圧油の供給制御をするための電磁パイロット油圧弁であるステアリングバルブ７６を付設している。該ステアリングバルブ７６は、図３２に図示する如く、後記の操向レバー１５の操作によって、中立、左旋回、右旋回の三位置に切換制御され、例えば左旋回時には、左旋回位置にセットされ、左サイドクラッチアクチュエーター７４Ｌを作動させることとなる。
また、可変リリーフバルブ７５は、後記の操向レバー１５の傾倒角度に比例して開弁度（即ちリリーフ圧）が変わり、ステアリングバルブ７６のセットによって作動しているサイドクラッチアクチュエーター７４の伸縮量を、操向レバー１５の傾倒角度に比例させる機能を有する。
【００２７】
更に、ステアリングバルブケース７３内には、電磁パイロット油圧弁である芯地旋回バルブ７７が内設されている。芯地旋回バルブ７７は、後記のスイッチ機構（図２０乃至図２３参照）に基づき、芯地旋回設定されて、パイロット電圧がＯＮ（芯地旋回バルブソレノイド７７ａが作動）すると、後記の油圧の芯地旋回クラッチ７１を係合させ（芯地旋回バルブ７７のパイロット電圧がＯＦＦの場合は、離脱状態である。）、左右の出力軸６８Ｌ・６８Ｒを相互に逆回転させるものである。
【００２８】
図１９のサイドクラッチ軸６４の後方に、左右の出力軸６８Ｌ・６８Ｒを軸支し、各出力軸６８に付設する出力ギア６８Ｌａ・６８Ｒａに、それぞれサイドクラッチギア６５Ｌ・６５Ｒを噛合させている。各出力軸６８Ｌ・６８Ｒは、減速機Ｇの左右より左右方向に突設されており、また、減速機Ｇは機体左寄りに位置しているため、右出力軸６８Ｒには継手６８Ｒｂを連結して延長している。該右出力軸６８Ｒ及び継手６８Ｒｂは、エンジンＥ下部のオイルパンＥａ前方を通過している。
一方、両サイドフレーム１ｄ・１ｅの下側で、各クローラフレーム１ｆ・１ｆの前端に、終末減速機ＦＧ・ＦＧを固設しており、各終末減速機ＦＧからは外側に駆動スプロケット１５を突設、軸支している。各駆動スプロケット１５の後方位置にて、出力軸６８Ｌ及び継手６８Ｒｂの各外端が、各終末減速機Ｇの入力軸Ｇａに連結されており、出力軸６８（６８Ｌ・６８Ｒ）の回転が、終末減速機ＦＧ内のギア機構を介して駆動スプロケット１５に伝動されるものである。
なお、右出力軸６８Ｒと継手６８Ｒｂとの連結部分、また、左右終末減速機Ｇの各入力軸Ｇａへの左出力軸６８Ｌ及び継手６８Ｒｂの連結部分には、各々、ジョイント部材６８ａを介装している。
【００２９】
減速機Ｇ内にて、出力軸６８Ｌ・６８Ｒの軸支部分より後方には、芯地旋回（スピンターン）用のギア機構が内設されている。即ち、後端に芯地旋回クラッチ軸７０を軸支しており、これには、二連の逆転用ギア７０ａ・７０ｂが環設されている。逆転用ギア７０ａは、該芯地旋回クラッチ軸７０に固設されている。一方、逆転用ギア７０ｂは、芯地旋回クラッチ７１を介して、芯地旋回クラッチ軸７０に係合・離脱可能となっている。逆転用ギア７０ａと右出力軸６８Ｒの出力ギア６８Ｒａとの間には、カウンター軸６９付設のカウンターギア６９ａが介装・噛合されている。
一方、逆転用ギア７０ｂは直接左出力軸６８Ｌに噛合している。通常は芯地旋回クラッチ７１が切られていて、右出力軸６８Ｒからギア６８Ｒａ・６９ａ・７０ａを介しての芯地旋回クラッチ軸７０への伝動と、左出力軸６８Ｌの出力ギア６８Ｌａから逆転用ギア７０ｂへの伝動は独立している。そして、例えば右側に芯地旋回すべく、左サイドクラッチギア６５Ｌを離脱状態とした上で、芯地旋回クラッチ７１を係合すると、係合状態の右サイドクラッチギア６５Ｒにギア噛合する右伝動軸６８Ｒから、芯地旋回用ギア機構を介して、離脱状態の左サイドクラッチギア６５Ｌにギア噛合する左出力軸６８Ｌへと伝動されて、左出力軸６８Ｌを右出力軸６８Ｒの回転方向と逆に回転させるのである。
【００３０】
ここで、油圧系統について図１７及び図３２より説明する。油圧ポンプＰのＨＳＴポンプＰａからは、ＨＳＴモーターＭに対して、作動油管７８・７９を配管している。該ＨＳＴポンプＰａは可動斜板を有しており、後記前後進切換レバー１５にて、電磁パイロット弁である斜板制御弁８０を三段に切り換え、これに基づき、油圧の斜板制御アクチュエーター８１を三つの状態に切り換えて、可動斜板を中立位置、前進位置、及び後進位置の三位置に切り換えることができる。
ＨＳＴモーターＭは可変容量モーターとなっていて、モーター軸を変速可能となっている。また、ＨＳＴポンプＰａを中立にして（斜板制御アクチュエーター４０を中立位置にして）作動油管７８・７９の作動油流通を停止した時には、自動的にモーター軸が制動されるよう油圧機構を設けている。
【００３１】
ところで斜板制御弁８０から斜板制御アクチュエーター８１への供給圧油は、油圧ポンプＰにおいて、エンジンＥの出力軸をポンプ軸とする固定容量型のブーストポンプＰｃより（ラインフィルターＬＦを介して）ＨＳＴポンプＰａ内の各作動油管７８・７９への連通油路Ｒ１・Ｒ２に作動油を補填する油路Ｒ３から、インチングバルブ８２を介して抽出する。インチングバルブ８２を通過することで、流量が調整され、エンジン回転数の変動にかかわらず一定の流量で圧油が斜板制御アクチュエーター８１へと供給されるので、エンジン回転数の変動にかかわらず、前後進切換レバー１５の操作による前後進切換や停車の反応速度が一定になる。
【００３２】
また、インチングバルブ８２は、後記ブレーキペダル２１の踏み操作によって前記サービスブレーキ６１を圧接（入力軸６０を制動）する際に、油路Ｒ３から斜板制御弁３９への油路を閉弁し、油戻しする状態となる。
これにより、斜板制御弁３９がどの位置にセットされているかに関わらず、斜板制御アクチュエーター８１への圧油供給が停止し、該斜板制御アクチュエーター８１は、戻しバネの力で中立状態に復帰する。これにより、ＨＳＴポンプＰａは中立となって、作動油管７８・７９の作動油流通は停止し、ＨＳＴモーターＭのモーター軸駆動も停止する。このように、モーター軸及びそれに連接される入力軸６０が駆動停止した状態で、サービスブレーキ６１が制動状態になるのである。
【００３３】
ＨＳＴモーターＭ以外の油圧駆動装置として、本実施例の運搬車は、前記のサイドクラッチアクチュエーター７４と、荷箱昇降シリンダー２３を有している。前記の如く、ステアリングバルブケース７３内には、ステアリングバルブ７６を内設しており、また、荷箱昇降シリンダー２３に対して、荷箱昇降制御弁８４を備えている。油圧ポンプＰにおいて、同じくエンジン出力軸をポンプ軸とする固定容量ポンプの作業用ポンプＰｂが設けられており、該作業用ポンプＰｂからの吐出油路は、フローディバイダー８３を介して、ステアリングバルブ７６への油路と荷箱昇降制御弁８４への油路とに分岐される。
フローディバイダー８３内には、各分岐油路に流量調整用の絞り弁を設けており、いずれへの分岐油路にも一定の流量で圧油供給するようにしているが、特にステアリングバルブ７６への圧油は、操向性を一定に保持することが重要なことから、流量を一定にすることが求められる。このことから、フローディバイダー８３内にて、ステアリングバルブ７６への分岐油路からリリーフ弁８３ａを介設するリリーフ油路を分岐させ、荷箱昇降制御弁８４の戻し油路と合流させて、作動油タンクＴへと油戻しする構成としている。
【００３４】
次に、動力部の上部は、運転部となっている。
この構造について図１乃至図４等より説明する。前記の如く、動力部においては、エンジンＥ、油圧ポンプＰ、ＨＳＴモーターＭ、及び減速機Ｇを、前記の如く配設したことに基づき、エンジンカバー６が立設され、その左側上部に、コントロールパネル７が、図１や図３のように配設されている。
つまり、エンジンカバー６とコントロールパネル７が、左右に配列されている。エンジンカバー６の上面は、蓋体６ａとなっていて、右端を回動軸として上方に回動して開けられるようになっている（図２１参照）。
そして、該コントロールパネル７の更に左側に、座席１２が配設されている。図３の如く、エンジンカバー６及びコントロールパネル７の前方には通路板８が貼設されていて、座席１２の前方に貼設するステップ板９に連結している。こうして、通路板８を介して、車体の右側、即ち、座席１２の配設側の反対側からの乗降もできるようになっている。
【００３５】
また、座席１２は、座席上台１１と一体状になっていて、ステップ板９に固設された座席下台１０に座席上台１１が回動可能に取り付けられている。これにより、座席１２を前向きと後向きの状態に反転することができる。
【００３６】
座席１２の後方（収納時の荷箱２２の直前部）にはアーチ状のガード部材１３が立設されており、これに作業灯１４が付設されていて、夜間に積荷や機体後方を照射でき、荷崩れを素早く発見できる。また、座席１２を後方に向けての後進運転時に進行方向を照らす役目もする。
【００３７】
コントロールパネル７には、サイドクラッチ操作用の操向レバー１５や、前後進切換レバー１７、荷箱昇降レバー１８が配設され、更に、座席上台１１には、パーキングブレーキレバー１９が配設されている。この中で、操向レバー１５は最も頻繁に操作するレバーであり、座席１２を前向きにした場合にも後向きにした場合にも、常時手で握れる状態にしておく必要がある。
従来は、前向き用と後向き用に、また、左右のサイドクラッチアクチュエーターを独立して操作するために、座席の前方に左右二本、後方に左右二本、合計四本の操向レバーを設けていたが、本実施例では、一本の操向レバー１５を左右方向に傾倒させるものであり、例えば左に傾倒させれば、左サイドクラッチアクチュエーター７４Ｌを作動して左サイドクラッチギア６５Ｌを離脱し、また、左サイドブレーキ６６Ｌを制動状態にするものである。
従って、座席１２を前向きにした場合にも、後向きにした場合にも、同様の感覚で操作できるように配設する必要がある。そこで、操向レバー１５は、図２０の如く、左側面視で、座席下台１０の垂直中心線ＳＬ、即ち、座席上台１１の回動中心線に重合するように配設されている。
これだと、座席１２を前向きにした場合にも後向きにした場合にも、前方或いは後方に寄りすぎず、同様の感覚で（座席１２から見て左側か右側かに配置は変わるが）操作できる。また、座席１２を前向きにしても後向きにしても、操向レバー１５は、旋回側に向けて（左右方向に）傾倒させる操作なので、やはり同様の感覚で操作できるのである。
【００３８】
操向レバー１５のリンク機構について、図２０乃至図２２より説明する。
操向レバー１５の基端は回動軸３７に外嵌枢支されており、中立位置に復帰するための戻しバネ３８が付設されている。また、操向レバー１５の左右回動に一体状に回動すべく、回動板３９が操向レバー１５の基端に連結されていて、その左右近傍に左旋回スイッチ４０Ｌ・右旋回スイッチ４０Ｒが配設されており、該操向レバー１５と一体状の回動板３９の回動によっていずれかのスイッチがＯＮするようになっている。
この左右旋回スイッチ４０Ｌ・４０Ｒ（総称して旋回スイッチ４０）は、前記のステアリングバルブケース７３内に内設した電磁弁であるステアリングバルブ７６のパイロット電圧（ソレノイド）のスイッチであって、例えば、操向レバー１５を左に傾倒すると、左旋回スイッチ４０ＬがＯＮして、ステアリングバルブ７６が左旋回位置に切り換えられ、左ステアリングアクチュエーター７４Ｌを作動させる。
【００３９】
また、回動板３９の左右端に、連結ロッド４１Ｌ・４１Ｒ（総称して連結ロッド４１）の上端が枢支されており、下方には回動軸４２が配設されていて、該回動軸４２上に回動可能にボス４３が外嵌されており、該ボス４３に該連結ロッド４１Ｌ・４１Ｒの下端が枢結されている。このボス４３よりリンク４４を、前記のステアリングバルブケース７３に設けられた可変リリーフバルブ７５の作動用アーム７５ａに連結している。（図２０図示）
従って、操向レバー１５（及び回動板３９）の回動量に比例して回動するボス４３の回動に伴い、該作動用アーム７５ａが回動して、可変リリーフバルブ７５が、前記の如く、操向レバー１５の傾倒角度に比例して開弁度が調整される。これによって、操向レバー１５の傾倒角度に応じた旋回半径（旋回側の後記駆動スプロケット２４と反旋回側の駆動スプロケット２４との回転速度差に基づく）が得られるのである。
【００４０】
更に、本実施例では、操向レバー１５の頭頂部に芯地旋回設定スイッチ１６を配設している。一方、前記の回動軸４２に外嵌したボス４３の近傍には、ボス４３がその回動限界まで回動した時に（即ち操向レバー１５をストロークエンドまで傾倒した時に）ＯＮすべく、芯地旋回スイッチ４５が配設されている。（図２０図示）
前記のステアリングバルブケース７３内の芯地旋回バルブ７７のパイロット電圧をＯＮする（芯地旋回バルブソレノイド７７ａを作動する）には、図２３の如く、芯地旋回設定スイッチ１６及び芯地旋回スイッチ４５の両方がＯＮしていることが必要である。（図２３中、Ｋはキースイッチである。）
従来、芯地旋回の設定は、コントロールパネルに設けられたスイッチにて行っていたが、これだと、ＯＮしていることを忘れて操向レバーをストロークエンドまで操作した時に、意図に反して芯地旋回してしまうことがある。しかし、本実施例では、芯地旋回設定スイッチ１６は、操向レバー１５の頭頂部に付設し、また、これを押している時にしかＯＮせず、手を離せばＯＦＦするようになっている。
従って、操向レバー１５を握りながら芯地旋回設定スイッチ１６を押した状態でないと、ストロークエンドまで操作して芯地旋回スイッチ４５のみがＯＮしても、芯地旋回とはならず、意図に反した芯地旋回はなされない。
【００４１】
該コントロールパネル７において、図２０の如く、操向レバー１５の後方には前後傾倒可能に前後進切換レバー１７を、更にその後方には、前後傾倒可能に荷箱昇降レバー１８を配設している。前後進切換レバー１７の基端にはデテント板１７ａを取り付けており、その近傍にデテント用ボール１７ｂを配設していて、このデテント機構にて、前進、中立、後進の三段にレバーをセットできるようにしている。
そして、前進段、後進段にした時にそれぞれＯＮする前進用スイッチ４６Ｆ、後進用スイッチ４６Ｒを配設しており、これは、ＨＳＴポンプＰａにおける電磁弁の斜板制御弁８０のパイロット電圧のスイッチであって、斜板制御弁８０を前進位置、或いは後進位置に切り換えるものとなっている。また、荷箱昇降レバー１８は、そのレバー操作によって、前記荷箱昇降制御弁８４を直接的に切換操作するものとなっている。
【００４２】
図２４及び図２５の如く、座席１２を前向きにした状態と後向きにした状態の両方の状態で、足元にて変速操作とブレーキ操作ができるように、座席１２の前方には前アクセルペダル２０Ｆ・前ブレーキペダル２１Ｆを、また、後方には後アクセルペダル２０Ｒ・後ブレーキペダル２１Ｒを配設している。
アクセルペダル２０（２０Ｆ・２０Ｒ）は、その踏み代に比例してエンジン回転数を制御し、ＨＳＴ機構及び減速機Ｇ（更に終末減速機ＦＧ）を介してエンジン出力軸より伝動される駆動スプロケット２４の回転数を制御する。
また、ブレーキペダル２１（２１Ｒ・２１Ｒ）は、前記の如く、サービスブレーキ６１を作動して減速機Ｇの入力軸６０を制動するとともに、インチングバルブ８２を切り換えて、ＨＳＴポンプＰａを中立にし、ＨＳＴモーターＭのモーター軸の回転を停止するものである。
【００４３】
アクセルペダル２０とブレーキペダル２１のリンク機構について、図２６乃至図３１より説明する。
前アクセルペダル２０Ｆの基端は、前支持板４７より突設された（前支持板４７と一体状の）回動軸４７ａに外嵌するボス部２０となっていて、ここより押当子２０Ｆａが突設されている。回動軸４７ａの下方には、同じく前支持板４７より突設される回動軸４７ｂが配設されていて、これに外嵌するボス４９より押当アーム４９ａが突設され、前支持板４７に穿設されたアーム通し孔４７ｅを通過して、該押当子２０Ｆａが押当している。
また、該ボス４９よりワイヤ受け板４９ｃが突設されていて、ここよりエンジンＥのレギュレーターにアクセルワイヤ５１を延設している。また、後アクセルペダル２０Ｒの基端は、後支持板４８に連結部材４８ａを介して固設される（後支持板４８と一体状の）回動軸４８ｂに外嵌するボス部となっていて、ここよりロッド受け板２０Ｒａが突設され、該ロッド受け板２０Ｒａより、ボス４９に突設するロッド受け板４９ｂに連結ロッド５０を連結している。
なお、アクセルペダル２０の遊びを持たせるため、該連結ロッド５０前端を、該ロッド受け板４９ｃに穿設した前後長の長孔に枢結している。こうして、前アクセルペダル２０Ｆまたは後アクセルペダル２０Ｒの踏み操作にて、ボス４９を回動させてワイヤ受け板４９ｃを回動させ、アクセルワイヤ５１を押し引き操作するようになっている。
【００４４】
ブレーキペダル２１Ｆ・２１Ｒの基端は、それぞれ、前支持板４７・後支持板４８より突設される回動軸４７ｃ・４８ｃに外嵌されるボス部となっていて、各基端のボス部より、後支持板４８の前端寄り部に回転自在に枢支する回動軸５２よりロッド受け板５２ａ・５２ｂを突設しており、これらは回動軸５２と一体状に回動するものであって、両ロッド受け板５２ａ・５２ｂに対してそれぞれ連結ロッド５３Ｆ・５３Ｒを連結している。また、座席上台１１に配設したパーキングブレーキレバー１９よりリンク５４を回動軸５２に介設している。
なお、リンク５４の中で、垂直ロッド５４ａを回動軸５２より突設するロッド受け板５２ｃ（これも回動軸５２と一体状に回動する）に枢結しているが、該垂直ロッド５４ａは、座席下台１０の垂直中心線（前記の垂直中心線ＳＬと同じ）上に配設している。これにより、座席１２の前後反転で、座席上台１１を回転する際、垂直ロッド５４ａを回転中心としてリンク５４及びパーキングブレーキレバー１９が座席上台１１と一体に回動するようにして、座席１２を前後どちらに向けても、パーキングブレーキレバー１９を使用できるようにしている。
更に、後ブレーキペダル２１Ｒ基端のボス部からは、前記のサービスブレーキ６１のサービスブレーキアーム６２に対して連結ロッド５５を枢結している。こうして、後ブレーキペダル２１Ｒの踏み操作によっては勿論、前ブレーキペダル２１Ｆ或いはパーキングブレーキペダル１９の操作によっても、連結ロッド５３Ｆまたはリンク５４を介して、回動軸５２が回動することによって、該連結ロッド５３Ｒが作動し、これによって、後ブレーキペダル２１Ｒの基端が回動して、連結ロッド５５が作動し、サービスブレーキアーム６２が制動側に回動するのである。
【００４５】
走行駆動状態からサービスブレーキ６１を制動操作する際には、入力軸６０の回転、即ちＨＳＴモーターＭのモーター軸の回転を停止しておかなければならない。即ち、ＨＳＴポンプＰａからＨＳＴモーターＭへの圧油供給を停止する。そのため、ブレーキペダル２１Ｆ・２１Ｒの踏み操作、及びパーキングブレーキレバー１９の回動操作に連動して、図３２図示のインチングバルブ８２を切換操作し、油路Ｒ３からの圧油をリリーフして、斜板制御弁８０への圧油供給を停止するようにする。この圧油供給が停止すれば、斜板制御アクチュエーター８１が、戻しバネにて中立状態に復帰し、ＨＳＴポンプＰａの斜板が中立位置に戻るのである。
【００４６】
このインチングバルブ８２の切換用リンク機構について説明する。後ブレーキペダル２１Ｒ基端より、連結ロッド５６を前方に延設しており、一方、前支持板４７より回動軸４７ｄを突設して、ボス５７に遊嵌している。該ボス５７より突設するロット受け板５７ａに該連結ロッド５６の前端部分を連結し、同じくボス５７より突設するワイヤ受け板５７ｂより、インチングバルブ８２作動用のワイヤ５８を延設している。５９は、該ワイヤ５８のアウターワイヤ受けである。
このように、後ブレーキペダル２１Ｒの回動操作によって、インチングバルブ８２切換用のワイヤ５８を作動させて、インチングバルブ８２を切り換える構成となっているが、後ブレーキペダル２１Ｒは、前ブレーキペダル２１Ｆ及びパーキングブレーキレバー１９の操作の際にも回動する。即ち、前ブレーキペダル２１Ｆ及びパーキングブレーキレバー１９の操作によっても、インチングバルブ８２は切り換えられて、ＨＳＴポンプＰａからＨＳＴモーターＭへの圧油供給は停止するのである。
【００４７】
なお、各アクセルペダル２０Ｆ・２０Ｒには戻しバネが付設されていて、踏み操作の後、足を離すと初期位置に復帰するようになっており、各ブレーキペダル２１Ｆ・２１Ｒも同様で、踏み操作の後、足を離せば初期位置に戻って、サービスブレーキ６１もそれによって非制動状態に復帰する。一方、パーキングブレーキレバー１９は、回動した位置で固定されて、サービスブレーキ６１を制動状態に固定する。
【００４８】
最後に、クローラ走行装置について、図１や図１６乃至図１９等より説明しておく。左右のクローラ走行装置は、それぞれ、前記の如く、クローラフレーム１ｆの前端に終末減速機ＦＧが付設されていて、駆動スプロケット２４を軸支しており、クローラフレーム１ｆの後端には、前後摺動可能にアイドラ２８を支持している。クローラフレーム１ｆの下方には、前後６個の転輪２５が支持されているが、最前及び最後の転輪２５を除いて、イコライザー２６Ｆ・２６Ｒにて支持されている。また、クローラフレーム１ｆの上部には、テンションローラー２７が軸支されており、これらにクローラ２９を巻装して、クローラ走行装置を形成している。
【００４９】
【発明の効果】
本発明は、独立して駆動する左右のクローラ式走行装置２９・２９を有し、旋回側のクローラ式走行装置２９・２９の駆動を、操向レバー１５を介してサイドクラッチアクチュエーター７４Ｌ・７４Ｒにより停止または減速させることで旋回する操向機構を有し、かつ前後に反転回動可能な座席１２を有する走行車輌において、前記操向レバー１５の握り部は、座席１２の前後反転の回動中心である垂直中心線ＳＬに、側面視で重合するよう配設し、該座席１２を前後いずれに向けるかにかかわらず、一本の操向レバー１５の左右への回動操作にて左右への操向機構を作動させ、前記操向レバー１５の前後への回動操作の前後傾倒角度に応じて、サイドクラッチアクチュエーター７４Ｌ・７４Ｒからのリリーフ圧を制御する可変リリーフバルブ７５の開弁度が調整され、旋回側と反旋回側との回転速度差に基づき旋回半径が調整される構成とし、該操向レバー１５の頭頂部に、押釦時のみＯＮする芯地旋回設定スイッチ１６を設け、更に、該操向レバー１５をストロークエンドまで傾倒した位置でＯＮする芯地旋回スイッチ４５を設け、該芯地旋回設定スイッチ１６と芯地旋回スイッチ４５の両スイッチがＯＮした時のみ芯地旋回を可能とする構成としたので、次のような効果を奏するのである。
第１に、操向に関するレバーが、従来の四本から一本へと低減され、大幅にコスト低下に貢献する。また、座席を前向きにした時も後向きにした時も、操向操作するのがレバー一本なので、操作が容易となり、片手が自由になって、他の操作が同時に行えるようになる。そして、左右回動操作なので、座席の前向きの時と後向きの時とで、操向レバーを同様の感覚で操作できる。
【００５０】
第２に、座席を前向きにした場合と後向きにした場合で、座席に座るオペレーターから見ての操向レバーの前後位置関係に差がなく、座席をどちらにした場合にも、同様に操向レバーを操作できる。また、これによって、操向レバーを一本化することも可能となる。
【００５１】
第３に、必ず操向レバーの芯地旋回設定スイッチを押さなければ、芯地旋回はなされず、操向レバーをストロークエンドまで操作した時に、予期せずに芯地旋回してしまうという事態がなくなる。
【図面の簡単な説明】
【図１】  本発明に係る運搬車の左側面図である。
【図２】  同じく部分右側面図である。
【図３】  同じく平面図である。
【図４】  同じく正面図である。
【図５】  本体フレーム１及び前部フレーム２よりなる運搬車のフレーム構造を示す平面図である。
【図６】  同じく部分左側面図である。
【図７】  本体フレーム１の左側面図である。
【図８】  同じく右側面図である。
【図９】  同じく正面図である。
【図１０】  同じく後面図である。
【図１１】  エンジンの給排気管構造を示すエンジンカバー６部分の正面図である。
【図１２】  同じく内部左側面図である。
【図１３】  フロントグリル３０の正面図である。
【図１４】  同じく側面断面図である。
【図１５】  給気管３１の側面一部断面図である。
【図１６】  運搬車の動力部配置構造を示す側面図である。
【図１７】  同じく平面図である。
【図１８】  同じく正面図である。
【図１９】  減速機Ｇの内部平面図である。
【図２０】  運搬車のコントロールパネル７に配設するレバー類のリンク機構を示す側面図である。
【図２１】  同じく正面図である。
【図２２】  操向レバー１５基端部の操向スイッチ４０の配設構造を示す部分正面図である
【図２３】  芯地旋回用バルブソレノイド７７ａの制御用電気回路図である。
【図２４】  運搬車の運転部におけるアクセルペダル２０、ブレーキペダル２１、及びパーキングブレーキレバー１９の配設構造を示す左側面図である。
【図２５】  同じく平面図である。
【図２６】  アクセルペダル２０、ブレーキペダル２１、及びパーキングブレーキレバー１９のリンク機構を示す左側面図である。
【図２７】  同じく平面図である。
【図２８】  同じく前半部分の平面図である。
【図２９】  同じく後半部分の平面図である。
【図３０】  アクセルペダル２０のリンク機構を示す左側面図である。
【図３１】  ブレーキペダル２１及びパーキングブレーキレバー１９のリンク機構を示す左側面図である。
【図３２】  運搬車の油圧系統図である。
【図３３】  従来の運搬車の側面図である。
【図３４】  同じく平面図である。
【図３５】  同じく正面図である。
【符号の説明】
Ｅ  エンジン
Ｐ  油圧ポンプ
Ｐａ  ＨＳＴポンプ
Ｐｂ  作業用ポンプ
Ｐｃ  ブーストポンプ
Ｍ  ＨＳＴモーター
Ｇ  減速機
ＦＧ  終末減速機
１  本体フレーム
２  前部フレーム
５  フロントコラム
６  エンジンカバー６
７  コントロールパネル
１０  座席下台
１１  座席上台
１２  座席
１５  操向レバー１５
１６  芯地旋回設定スイッチ
４５  芯地旋回スイッチ
【図１】
0003760194.tif 000002
【図２】
0003760194.tif 000003
【図３】
0003760194.tif 000004
【図４】
0003760194.tif 000005
【図５】
0003760194.tif 000006
【図６】
0003760194.tif 000007
【図７】
0003760194.tif 000008
【図８】
0003760194.tif 000009
【図９】
0003760194.tif 000010
【図１０】
0003760194.tif 000011
【図１１】
0003760194.tif 000012
【図１２】
0003760194.tif 000013
【図１３】
0003760194.tif 000014
【図１４】
0003760194.tif 000015
【図１５】
0003760194.tif 000016
【図１６】
0003760194.tif 000017
【図１７】
0003760194.tif 000018
【図１８】
0003760194.tif 000019
【図１９】
0003760194.tif 000020
【図２０】
0003760194.tif 000021
【図２１】
0003760194.tif 000022
【図２２】
0003760194.tif 000023
【図２３】
0003760194.tif 000024
【図２４】
0003760194.tif 000025
【図２５】
0003760194.tif 000026
【図２６】
0003760194.tif 000027
【図２７】
0003760194.tif 000028
【図２８】
0003760194.tif 000029
【図２９】
0003760194.tif 000030
【図３０】
0003760194.tif 000031
【図３１】
0003760194.tif 000032
【図３２】
0003760194.tif 000033
【図３３】
0003760194.tif 000034
【図３４】
0003760194.tif 000035
【図３５】
0003760194.tif 000036